(57)【要約】【課題】  ユーザに対して、検索性や編集を容易にすることができる記録装置を提供する。【解決手段】ＤＶフォーマットで送られるＶＩＤＥＯ、ＡＵＤＩＯ、ＳＵＢＣＯＤＥデータの中で、タイトルまたは記録日を検出し、ダビング用のディレクトリをタイトルまたは記録日により作成する。【選択図】  図１
2005174478.tif 000002
【特許請求の範囲】
【請求項１】
ＤＶフォーマットのデータをデジタルダビングする記録装置において、
ＤＶフォーマットで送られるＶＩＤＥＯ、ＡＵＤＩＯ、ＳＵＢＣＯＤＥデータの中で、タイトルまたは記録日を検出し、ダビング用のディレクトリをタイトルまたは記録日により作成することを特徴とする記録装置。
【請求項２】
請求項１記載の記録装置において、ＤＶフォーマットで送られるＶＩＤＥＯ、ＡＵＤＩＯ、ＳＵＢＣＯＤＥデータの中から、記録開始ビットまたは記録時刻の不連続を検出し、検出された場合は、作成した上記ディレクトリの下に新規ファイルを作成し、ＶＩＤＥＯ、ＡＵＤＩＯ、ＳＵＢＣＯＤＥデータを追加することを特徴とする記録装置。
【請求項３】
請求項２記載の記録装置において、上記作成した複数のファイルをＰＬＡＹリストに順次追加し、そのＰＬＡＹリストを用いて再生することで、受信したＤＶフォーマットのＶＩＤＥＯ、ＡＵＤＩＯと同じ順序で再生することを特徴とする記録装置。
【発明の詳細な説明】
【技術分野】
【０００１】
本発明は、デジタルＶＴＲからディスク媒体などのファイルシステムが存在するメモリ媒体にダビングを行う記録装置に関する。
【背景技術】
【０００２】
図７は、ＩＥＥＥ１３９４−１９９５（非特許文献１参照）に準拠したネットワークインターフェース（以下、ＩＥＥＥ１３９４Ｉ／Ｆ）を有する従来の記録装置のハード構成を示す。
【０００３】
図７において、１はメモリからプログラムを読み出し実行するマイコン、２はマイコン１が、演算に使用するところのメモリ（ＲＡＭ）である。３はマイコンのプログラムおよび、固定データを記憶するところのメモリ（ＲＯＭ）である。４は、マイコンのバスと 周辺のモジュールのバスを接続するバスブリッジである。５は、ＩＥＥＥ１３９４Ｉ／Ｆなどから入力されるデータを 記憶するメモリであるデータ用のメモリ、６はＩＥＥＥ１３９４Ｉ／Ｆから入力されるシリアルデータをデコードするＩＥＥＥ１３９４デコーダ、７は画像データなどを記憶するところのＨＤＤユニットである。
【０００４】
上記、ハード構成において、まず、ＩＥＥＥ１３９４ケーブルが接続され、ダビングモードが実行されると（Ｓ６０２）、 図８に示すように、ＩＥＥＥ１３９４デコーダ６に対して、受信モードになるように制御する。そして、ＨＤＤユニット上に、新規ファイルをオープンする（Ｓ６０３）。つぎに ＩＥＥＥ１３９４Ｉ／Ｆが受信中であるか確認し（Ｓ６０４）、受信中であれば、ＶＩＤＥＯ、ＡＵＤＩＯ、ＳＵＢＣＯＤＥデータを取り込み、データ用のメモリ５にコピーする（Ｓ６０５）。そして １フレーム分のデータが入力されたときに（Ｓ６０６）、データ用のメモリ５に蓄積されている入力データをＨＤＤユニット７上のオープンされているファイルに追加する（Ｓ６０７）。
【０００５】
そして、再度、ＩＥＥＥ１３９４Ｉ／Ｆが受信中であることを検出すれば、１フレーム分の入力データを上記シーケンスで  オープンされているファイルに追加する作業を繰り返す。
【０００６】
ＩＥＥＥ１３９４Ｉ／Ｆの接続が切れた場合、およびダビングを停止する場合は、ＨＤＤユニット７に書いていたファイルにヘッダー情報などの必要な情報を付加し、ファイル形式を整えてファイルクローズしてから終了する（Ｓ６０８）。
【０００７】
ダビングしたファイルの再生時は、まず、ＨＤＤユニット７にあるファイルを開き、ファイルの中から、１フレーム単位時間で、１フレーム分のデータを読み出し、データ用のメモリ５にコピーする。データ用のメモリ５にコピーされたデータは、マイコン１が読み出し、ＤＶフォーマットの圧縮を、伸長する。デコードされたデジタル画像からＴＶ信号変換しモニター出力する。
【非特許文献１】IEEE Std 1394-1995、 IEEE Standard for a High Performance Serial Bus、 Institute of Electrical and Electronics Engineers、 Inc.
【発明の開示】
【発明が解決しようとする課題】
【０００８】
しかしながら、従来例に示すように、テープ上にあるＤＶフォーマットのＶＩＤＥＯ、ＡＵＤＩＯ、ＳＵＢＣＯＤＥデータをＩＥＥＥ１３９４Ｉ／Ｆ経由で、ディスク媒体にダビングする場合、テープ上のデータと同じフォーマットでディスク上に１つのファイルとして記録されるため、ユーザにとって検索性が上がらないという課題がある。
【０００９】
本発明は上記課題に鑑みてなされたものであり、ユーザに対して、検索性や編集を容易にすることができる記録装置を提供することを目的とする。
【課題を解決するための手段】
【００１０】
上記課題を解決するため、本発明では以下のように構成している。
【００１１】
即ち、１つのテープに対して、１つのディレクトリを用意し、そのディレクトリ内にＤＶファーマットのＳＵＢＣＯＤＥデータ内にあるタイトルによって、さらにディレクトリを作成し、ＤＶファーマットのＳＵＢＣＯＤＥデータ内にタイトルが登録されていない場合は、記録日によって、ディレクトリを作成することを特徴とする。
【００１２】
また、タイトルまたは記録日によって、作成されたディレクトリ内では、ＤＶフォーマットのＳＵＢＣＯＤＥ内にある記録開始ビット、または、ＳＵＢＣＯＤＥ内にある記録日時の不連続を検出し、検出された場合は新規ファイルを作成し、ＶＩＤＥＯ、ＡＵＤＩＯ、ＳＵＢＣＯＤＥデータを登録することを特徴とする。
【００１３】
さらに、上記のように１本のテープ内にあるＶＩＤＥＯ、ＡＵＤＩＯ、ＳＵＢＣＯＤＥデータを、複数のファイルに分割して記録し、複数のファイルの関係を示すＰＬＡＹリストも同時に作成するように構成することにより、ＰＬＡＹリストに従い順次再生すれば、テープの先頭から再生するのと同じ順序でＶＩＤＥＯ、ＡＵＤＩＯを再生できるようなる。
【発明の効果】
【００１４】
本発明の記録装置によれば、ＩＥＥＥ１３９４Ｉ／Ｆを経由してDVフォーマットからのダビングにおいて、１つのテープ上にあるＶＩＤＥＯ、ＡＵＤＩＯデータを複数のファイルに分割して記録することで、ユーザに対して、検索性や編集を容易にすることができる。
【発明を実施するための最良の形態】
【００１５】
以下に本発明の実施例について説明する。
【実施例１】
【００１６】
以下に、本発明の第１の実施例を図１〜図６に基づき説明する。
【００１７】
図１は、本発明におけるダビング時のシーケンスを示すフローチャートである。ハード構成は、従来例で示した図７と同様の構成である。
【００１８】
図１において、ダビングを開始すると（Ｓ１０１）、ＩＥＥＥ１３９４Ｉ／Ｆが入力状態になっていることを確認する（Ｓ１０２）。データが入力状態になっていない場合は終了し（Ｓ１１３）、入力されている場合は、ＩＥＥＥ１３９４デコーダ６からのＶＩＤＥＯ、ＡＵＤＩＯ、ＳＵＢＣＯＤＥデータを取り込み、データ用のメモリ５にコピーする（Ｓ１０３）。そして １フレーム分のデータが入力されたときに（Ｓ１０４）、データ用のメモリ５に蓄積されている入力データの中のＡＵＸのデータを解析する（Ｓ１０５）。入力したＡＵＸの中に記録日または記録タイトルの変更、またはダビング開始直後の場合は（Ｓ１０６）、新規ディレクトリを作成する（Ｓ１０７）。新規ディレクトリ名は、記録タイトルがある場合は、記録タイトル名で作成し、記録タイトルがＡＵＸに登録されていない場合は、記録日からディレクトリ名を決め、ディレクトリを作成する。
【００１９】
そして、ファイルカウントをリセット（０値）にする（Ｓ１０８）。新規ディレクトリにおいて、新規ファイルを作成し（Ｓ１１０）、ファイルカウンタを１増加する（Ｓ１１１）。新規ファイル名は、ファイルカウントを用いて決め、例えば、FILE＿０。ｄｖ、FILE＿１。ｄｖように決めていく。作成した新規ファイルに１フレーム単位のＶＩＤＥＯ、ＡＵＤＩＯ、ＳＵＢＣＯＤＥデータを順じ追加していく（Ｓ１１２）。
【００２０】
また、データ用のメモリ５に蓄積されている入力データの中のＡＵＸのデータを解析結果、記録日または記録タイトルの変更がない場合は、再度入力されたＡＵＸの情報中から、記録スタートビットおよび記録時刻の不連続を検索する（Ｓ１０９）。記録スタートビットまたは記録時刻の不連続が検出された場合、今まで書き込んでいたファイルをクローズドし、ファイルカウンタから新規ファイル名を決定し、新規ファイルを作成し オープンする。そして、ファイルカウンタを  １インクリメントした後、新規ファイルに１フレーム単位で、入力データを順じ追加する。
【００２１】
そして、再び、前記ＩＥＥＥ１３９４Ｉ／Ｆの接続の調査から入力データの追加までの一連のシーケンスを繰り返す。
【００２２】
図２は、新規ディレクトリを作成する場合のディレクトリ名の決め方を示す。
【００２３】
新規ディレクトリを作成するとき（Ｓ２０１）、AUXの中にある記録日の情報と記録タイトルの情報を検索し（Ｓ２０２）、記録タイトルがある場合は、タイトルを優先し、ディレクトリ名を決める（Ｓ２０５）。タイトル情報が無効の場合は、記録日の情報からディレクトリ名をきめ、ディレクトリを作成する（Ｓ２０４）。
【００２４】
図３は、新規ファイルの作成時のシーケンスを示す。
【００２５】
上記のダビング時のシーケンスで、新規ファイルを作成する場合、ファイルカウンタ値からファイル名を作成し（Ｓ３０２）、そのファイルがあるディレクトリとファイル名をＰＬＡＹリストに追加する（Ｓ３０３）。そして、ファイルカウンタを１インクリメント（増加）する（Ｓ３０４）。ＰＬＡＹリストは、図４に示すように、ディレクトリと同じ階層にあり、ダビング時作成されたファイルがすべて登録されている。
【００２６】
図４は、記録日または記録タイトルで作成されたディレクトリの下に、記録スタートビット検出または記録時刻の不連続ごとに作成されたファイルのイメージを示す。
【００２７】
図５は、本発明のダビングしたファイルの再生シーケンスを示す。
【００２８】
図５において、まず、ダビング時に記録した順序で再生するか、または、ダビングしたファイルの中から、ファイルを選択して再生するかをユーザに問い合わせる（Ｓ４０２）。ファイルを選択して再生する場合は（Ｓ４０４）、ユーザに再生ファイル名を問い合わせる。そして、再生ファイル名を取得後、そのファイルを順次 再生する（Ｓ４０５）。ファイル再生後、別のファイルの再生を行うかをユーザに問い合わせし、再生しない場合は終了し（Ｓ４０６）、再生する場合は、上記シーケンスを繰り返す。図５において、ユーザから ダビング時に記録した順序で再生するように指示された場合、記録時に作成したＰＬＡＹリストを用いて順次ファイルを再生していく（Ｓ４０３）。
【００２９】
図６は、ＰＬＡＹリストを用いて順次ファイルを再生していく場合のシーケンスを示す。
【００３０】
ダビングを行ったディレクトリにあるＰＬＡＹリストを読込んだ後（Ｓ５０２）、ユーザにダビング時に作成された全てのディレクトリのファイルを再生するか問い合わせる（Ｓ５０３）。全てのディレクトリのファイルを再生する場合、ＰＬＡＹリストに登録されている順に再生ファイルを読み出し再生し（Ｓ５０８〜Ｓ５１０）、ＰＬＡＹリスト登録されている全てファイルを再生するまで繰り返す（Ｓ５０７）。
【００３１】
ユーザが 全てのファイルの再生を選択しなかった場合は、再生するディレクトリをユーザに問い合わせ、再生するディレクトリの指示を仰ぐ（Ｓ５０４）。そして、ＰＬＡＹリストに登録されたファイルの中から、指示されたディレクトリに書き込まれているファイルを検索し（Ｓ５０５）、再生する（Ｓ５０６）。指示されたディレクトリ内のファイルを全て再生するまで、上記シーケンスを繰り返す（Ｓ５０７）。
【図面の簡単な説明】
【００３２】
【図１】本発明のダビング時のフローチャートである。
【図２】本発明におけるディレクトリ作成時の名前のつけ方を示すフローチャートである。
【図３】本発明におけるファイル作成時の詳細フローチャートである。
【図４】本発明におけるファイル構成のイメージ図である。
【図５】本発明におけるファイル再生のフローチャートである。
【図６】本発明におけるPLAYリストを用いたファイル再生のフローチャートである。
【図７】従来および本発明のハード構成図である。
【図８】従来のダビング時のシーケンスを示すフローチャートである。
【符号の説明】
【００３３】
１     マイコン
２     メモリ（ＲＡＭ）
３     メモリ（ＲＯＭ）
４     バスブリッジ
５     データ用のメモリ
６     ＩＥＥＥ１３９４デコーダ
７     ＨＤＤユニット
【図１】
2005174478.tif 000003
【図２】
2005174478.tif 000004
【図３】
2005174478.tif 000005
【図４】
2005174478.tif 000006
【図５】
2005174478.tif 000007
【図６】
2005174478.tif 000008
【図７】
2005174478.tif 000009
【図８】
2005174478.tif 000010